(57)【要約】 【課題】  雨水の貯留施設、或いは浸透施設等の空間内に設置することによって、その内部崩壊阻止のための内部補強を成すことを目的とする新規な空間充填材を提供する。【解決手段】  所定間隔を保って立設することにより空間内の補強目的が果たされるように構成した空間充填体であって、当該充填体の支柱体の柱部材として，載頭円錐筒状を呈し複数を互いに重ね合せることが出来るような形態とした空間充填体。【選択図】  図１
2015218447.tif 000002
【特許請求の範囲】
【請求項１】
所定間隔を保って立設することにより空間内の補強目的が果たされるように構成した空間充填体であって、当該充填体の支柱体(Ｍ)の柱部材(１)として，載頭円錐筒状を呈し複数を互いに重ね合せることが出来るような形態とした空間充填体。
【請求項２】
載頭円錐筒状を呈し複数を互いに重ね合せることが出来るような形態とした柱部材(1)の大径端部に、安定用フランジ部材(2)を連設するように構成した請求項１に記載の空間充填体。
【請求項３】
所定の肉厚を具えた支持用基盤(Ｎ)を用いて、その上面側及び下面側において、支持体(Ｍ)をその上下両端部で立てた状態で固定することにより空間充填材として機能させるように構成した請求項１または請求項２の何れかに記載の空間充填体。
【請求項４】
支持用基盤(Ｎ)として、所定サイズの凹凸面(ａ、ｂ)を互い違いに隣接させた形態を有し、当該凹凸面(ａ，ｂ)の中央部に穿設した取付け用孔(６)を介して支持体(Ｍ)の止着を行うように構成した請求項１乃至請求項３の何れかに記載の空間充填体。
【発明の詳細な説明】
【技術分野】
【０００１】
本発明は、公園の下または道路の下等に構築する雨水の貯留施設或いは浸透施設等の空間内に設置することによって、その内部崩壊阻止のための補強を成すことを目的とする空間充填体に関する。
【背景技術】
【０００２】
従来の充填体としては、全長を等径の柱状の筒状体を支持柱とし、これを空間内に所定間隔を保って立設することにより空間内の補強目的が果たされるようにしたものが存在する（例えば、特許文献１参照。）。
【先行技術文献】
【特許文献】
【０００３】
【特許文献１】特開２００６−３０７４９４号公報
【発明の概要】
【発明が解決しようとする課題】
【０００４】
上記のように、全長を等径の柱状に形成した筒状体を支持柱とした場合、これを積み重ねて保管または輸送することが出来ず、一方、当該支持柱は極めて多数本を用いる関係上、このような、積み重ねての保管または輸送が出来ないと言うような形態であると、極めて取扱いにくいと言うような問題が伴った。
【０００５】
更に、空間内の支持柱の立設は決まった位置で行うことが設定されているため、例えば内部に人が入って作業するための空間を形成しようとしても、これを形成することが不可能、或いは顕著な困難性を要すると言うような問題が伴った。  更に、例えば雨水貯留用空間であっても、公園の下に形成する場合と、道路の下に形成する場合とは、必要とする強度が必然的に異なり、公園の場合は空間充填体の配置は疎の形態で済むが、道路の下の場合は負荷が著しく高いため、空間充填体の配置は密なものが要求される。  然し乍、従来にあってはこれに対する対応を採ることが出来ないものとされた。
【０００６】
本発明は上記した従来の問題を解消した新規の「空間充填体」の提供を図ったものである。
【課題を解決するための手段】
【０００７】
本発明は請求項１に記載のように、所定間隔を保って立設することにより空間内の補強目的が果たされるように構成した空間充填体であって、当該充填体の支柱体の柱部材として，載頭円錐筒状を呈し複数を互いに重ね合せることが出来るような形態とした空間充填体に係る。
【０００８】
本発明は請求項２に記載のように、載頭円錐筒状を呈し複数を互いに重ね合せることが出来るような形態とした柱部材の大径端部に、安定用フランジ部材を連設するように構成した請求項１に記載の空間充填体を実施の態様とする。
【０００９】
本発明は請求項３に記載のように、所定の肉厚を具えた支持用基盤を用いて、その上面側及び下面側において、支持体をその上下両端部で立てた状態で固定することにより空間充填材として機能させるように構成した請求項１または請求項２の何れかに記載の空間充填体。
【００１０】
本発明は請求項４に記載のように、支持用基盤として、所定サイズの正方形状の凹凸面を互い違いに隣接させた形態を有し、当該凹凸面の中央部に穿設した取付け用孔を介して支持体の止着を行うように構成した請求項１乃至請求項３の何れかに記載の空間充填体を実施の態様とする。
【発明の効果】
【００１１】
本発明は請求項１に記載のような構成を採用したから、その柱部材１を円筒状ではなく、載頭円錐筒状を呈するような形状としてあるため、不使用時または輸送時等に際しては、これを重ねておくことにより、全体のコンパクト化が図られる。
【００１２】
本発明は請求項２に記載のように、載頭円錐筒状を呈し複数を互いに重ね合せることが出来るような形態とした柱部材１の大径端部に、安定用フランジ部材２を連設するように構成したから、当該フランジ部材２の存在に基づきその載置時の安定化が図られる。  そして当該フランジ部材２は、板材の屈曲に基づき形成したものであるから、軽量性が図られる。
【００１３】
本発明は請求項３に記載のように、所定の肉厚を具えた支持用基盤Ｎを用いて、その上面側及び下面側において、支持体Ｍをその上下両端部で立てた状態で固定することにより空間充填材として機能させるように構成したから、構成のシンプル化が図られる。
【００１４】
本発明は請求項４に記載のように、支持用基盤Ｎは所定サイズの凹凸面ａ、ｂを互い違いに隣接させた形態に形成したから、支持用基盤Ｎを形成する板材に対する強度的強化が図られる。  更に、支柱体Ｍのフランジ部材２に穿設した取付け用孔５の所要位置のものを合致させると共に、これを貫通させる固定手段７を採ることにより、支柱体Ｍの取り付け位置を任意に選定することが出来る。  従って、貯蔵空間を形成する場所、例えば広場下の地中用として、或いは道路下の地中用とする等、その必要強度に即した本数の支柱体Ｍの立設本数の調節、或いは、例えば空間充填体の間を空けて作業用スペースの形成等、必要部分に所要広さの空間を形成することが可能化される。
【図面の簡単な説明】
【００１５】
【図１】本発明における要旨部材とする柱体の斜視図である。
【図２】図１に於けるＸ−Ｘ線断面図である。
【図３】本発明におけるもう一つの要旨部材とするに支持用基盤の一実施例を示す平面図である。
【図４】図３におけるＹ−Ｙ線断面図である。
【図５】支持用基盤に対する柱体の取付け状態を表した説明用断面図である。
【図６】本発明品に係る空間充填体の組立形態の基本例を表した説明用正面図である。
【図７】本発明品に係る空間充填体の組立形態の変形例を表した説明用正面図である。
【発明を実施するための形態】
【００１６】
図に於いて、Ｍは本発明に係る充填体を形成するための要旨部材の一つとする支柱体であって、載頭円錐筒状を呈する柱部材１と、当該柱部材１の基端部に連設したフランジ部材２とで構成してある。  ３は柱部材１に設けた連結用突起、４は同じく連結用係合孔であって、一対の支柱体Ｍを天地逆転させて連結する際の連結用としての役割を果たすものである。  ５はフランジ部材２の底面周縁部分放射状の位置に穿設した取付け用孔であって、後述する支持盤Ｎに対する固定化を図るためのものである。
【００１７】
上記した支柱体Ｍは、その柱部材１を円筒状ではなく、載頭円錐筒状を呈するような形状としてあるため、不使用時または輸送時等に際しては、これを重ねておくことにより、全体のコンパクト化が図られるように成っている。
【００１８】
Ｎは本発明に係る充填体を形成するためのもう一つの要旨部材とする支持用基盤であって、下記のような構成を具えたものである。
当該支持用基盤Ｎは任意の平面矩形状を呈し、図６に示すように、その上面側及び下面側に支持体Ｍを立てた状態で固定することにより、空間充填材として機能するように構成してある。
【００１９】
また、図示の実施例にあっては、当該支持用基盤Ｎは所定サイズの正方形状の凹凸面ａ、ｂを互い違いに隣接させた形態に形成することに依って、板材に対する強度的強化を図った形状としてある。  然し乍、このような形態を採ることは絶対的条件ではなく、所定の強度が得られる程度の厚さを有する単なる板材を用い、これに所定間隔毎に（下記する取付け用孔５と同様な位置に）縦横に穿設した取付け用孔を用いる様に構成しても良い。  更に、当該凹凸面a,bは 図示のような正方形以外、例えば円形若しくは長方形状であっても良い。
【００２０】
６は支持用基盤Ｎにおける凹凸面ａ，ｂの中心部に穿設した取付け用孔であって、上記した支柱体Ｍのフランジ部材に穿設した取付け用孔５の所要位置のものを合致させると共に、これを貫通させる固定手段７を採ることにより、支柱体Ｍと支持用基盤Ｎとの連結化が図られるように構成してある。  尚、固定手段７としては、ピン止め、螺子止め、ナット締め等適宜な手段であって可とする。
【００２１】
ところで、支持用基盤Ｎに対する支柱体Ｍの取付けは、原則としては図６に示すように、多数の支柱体を等間隔で固定化するものである。  そして、図７に示すように、所定の間隔をオプション的に形成するようにすることも可能とする。  すなわち従来は、特許文献１に示すように、これを等間隔に取付けることに限定され、自由にその間隔を調節することはできなかった。  然し乍、本発明は支持用基盤Ｎに穿設されている取付け用孔６の選択性に基づき、支柱体Ｍの取付け位置が自由に設定されるように構成したため、図７に示すような、一部に広い間隔を空けた様な取り付け形態を採ることが可能化される。
【符号の説明】
【００２２】
Ｍ  支柱体
１  柱部材
２  フランジ部材
３  連結用突起
４  連結用係合孔
５  取付け用孔
Ｎ  支持用基盤
ａ  凹面
ｂ  凸面
６  取付け用孔
７  固定手段
【図１】
2015218447.tif 000003
【図２】
2015218447.tif 000004
【図３】
2015218447.tif 000005
【図４】
2015218447.tif 000006
【図５】
2015218447.tif 000007
【図６】
2015218447.tif 000008
【図７】
2015218447.tif 000009